(57)【特許請求の範囲】
【請求項１】
被写体（２）を照明する複数の照明角度（４）を設定するために制御可能な照明装置と、
前記複数の照明角度（４）について前記被写体（２）の複数の画像（５１−５３）を取り込むイメージセンサを有する検出器（１４）と、
前記イメージセンサ（１５；１４３）と接続され、前記複数の画像（５１−５３）を処理するように構成された電子処理装置（２０；１４４）とを備え、
前記電子処理装置（２０；１４４）は、前記複数の画像（５１−５３）に依存して前記被写体（２）の３次元振幅情報（５７；１０７，１０８）を再構成するように構成され、
前記電子処理装置（２０；１４４）は、前記複数の照明角度（４）のそれぞれの照明角度（４）ごとに、前記照明角度（４）に割り当てられた変換（Ｔ１−Ｔ３）を、対応する照明角度（４）で検出された画像（５１−５３）に適用するように構成され、
前記変換（Ｔ１−Ｔ３）は、前記検出器（１４）の照明ビーム（３）に対する傾きを補償することを特徴とする被写体（２）の３次元画像化のための装置。
【請求項２】
前記電子処理装置（２０；１４４）は、複数の修正された画像（５４−５６）を生成するため、および前記複数の修正された画像（５４−５６）から前記３次元振幅情報（５７）を再構成するため、前記照明角度（４）ごとに割り当てられた前記変換（Ｔ１−Ｔ３）が前記複数の画像（５４−５６）の少なくとも一部に適用されることを特徴とする請求項１に記載の装置。
【請求項３】
前記電子処理装置（２０；１４４）は、前記複数の照明角度（４）について前記被写体（２）の体積要素（４１，４２）がそれぞれ画像化される前記イメージセンサ（１５；１４３）のピクセルに依存して前記３次元振幅情報（５７；１０７，１０８）を再構成するように構成されていることを特徴とする請求項１に記載の装置。
【請求項４】
前記電子処理装置（２０；１４４）は、前記複数の照明角度（４）について前記被写体
（２）の体積要素（４１，４２）がそれぞれ画像化される前記イメージセンサ（１５；１４３）のピクセルを、前記体積要素（４１，４２）と検出器（１４）の焦点面（１００）の間の距離に依存して決定するように構成されていることを特徴とする請求項３に記載の装置。
【請求項５】
前記電子処理装置（２０；１４４）は、異なる照明角度（４）について、前記イメージセンサ（１５；１４３）のピクセル（５４）で検出された輝度に依存して、異なる複数の平面に配置された、被写体（２）の複数の体積要素の振幅情報（５７；１０７，１０８）を再構成するように構成されることを特徴とする請求項３に記載の装置。
【請求項６】
前記電子処理装置（２０；１４４）は、
前記複数の照明角度（４）のうちの一つの照明角度（４）について、３次元振幅情報の推定により、前記イメージセンサ（１５；１４３）上の輝度の分布を演算により決定し、
前記演算により決定された輝度の分布と前記照明方向について検出された画像の比較に依存した補正画像を決定し、
補正画像の逆投影または逆伝搬を行うことを特徴とする請求項１から５のいずれか１項に記載の装置。
【請求項７】
前記電子処理装置（２０；１４４）は、光軸（５）に垂直な異なる複数の面に配列された体積要素に、逆投影または逆伝搬を行うように構成されることを特徴とする請求項６に記載の装置。
【請求項８】
前記電子処理装置（２０；１４４）は、
逆投影または逆伝搬により推定を更新し、
少なくともさらにもう一つの照明角度（４）に対して、補正画像の決定と、逆投影または逆伝搬を繰り返すように構成されることを特徴とする請求項６に記載の装置。
【請求項９】
前記電子処理装置（２０；１４４）は、対応する画像（５１−５３）の記録中の歪みが照明角度（４）に依存している場合に、３次元振幅情報（１０８）を再構成する目的で、前記複数の画像（５１−５３）の少なくとも一部を反転させることを特徴とする請求項１に記載の装置。
【請求項１０】
前記電子処理装置（２０；１４４）は、３次元振幅情報を再構成するため、前記複数の画像（５１−５３）から被写体（２）の画像スタックを計算するように構成されることを特徴とする請求項９に記載の装置。
【請求項１１】
前記電子処理装置（２０；１４４）は、被写体（２）の断層面（１０１，１０２）に沿った断面を表す画像スタックの画像（１０７）を演算する目的で、変換（Ｓ1−Ｓ3）を複数の画像（５１−５３）の少なくとも一部に適用するように構成され、
前記変換（Ｓ1−Ｓ3）は、画像を記録している間の照明角度（４）と断層面（１０１，１０２）の位置に依存することを特徴とする請求項１０に記載の装置。
【請求項１２】
前記電子処理装置（２０；１４４）は、
異なる照明角度（４）について検出された少なくとも２つの画像において、相互に対応する被写体の構造（５０）の画像を同定し、
前記少なくとも２つの画像において、相互に対応する被写体の構造（５０）の画像の間の変位（１２１）に依存して、被写体（２）における前記被写体の構造の位置を決定するように構成されることを特徴とする請求項１０に記載の装置。
【請求項１３】
前記電子処理装置（２０；１４４）は、前記複数の画像（５１−５３）に依存して被写体（２）の３次元位相情報を再構成するように構成されることを特徴とする請求項１に記載の装置。
【請求項１４】
前記装置は、顕微鏡システムであることを特徴とする、請求項１に記載の装置。
【請求項１５】
被写体（２）が複数の照明角度（４）で照明されたときに複数の画像（５１−５３）を検出し、
前記複数の画像（５１−５３）から前記被写体（２）の３次元振幅情報を再構成することを含み、
複数の照明角度（４）のそれぞれの照明角度（４）ごとに再構成する目的で、前記照明角度（４）に割り当てられた変換（Ｔ１−Ｔ３）が対応する前記照明角度（４）で検出された画像（５１−５３）に適用され、
前記変換（Ｔ１−Ｔ３）は検出器（１４）の照明ビーム（３）に対する傾きを補償することを特徴とする被写体（２）の３次元画像化方法。
【請求項１６】
前記照明角度（４）ごとに割り当てられた前記変換（Ｔ１−Ｔ３）が、前記複数の修正された画像（５４−５６）を生成するため、前記複数の画像（５１−５３）の少なくとも一部に適用され、
前記３次元振幅情報（５７）は複数の修正された画像（５４−５６）から再構成されることを特徴とする請求項１５に記載の方法。
【請求項１７】
前記３次元振幅情報（１０８）を再構成する目的で、前記複数の画像（５１−５３）の少なくとも一部について、対応する画像（５１−５３）の記録中の照明角度（４）に依存する歪みが反転されるように構成されることを特徴とする請求項１５に記載の方法。
【請求項１８】
前記複数の照明角度（４）のうち一つの照明角度（４）について、前記３次元振幅情報からイメージセンサ（１５；１４３）上の輝度情報を演算により決定することと、
前記演算により決定された輝度分布と前記照明角度について検出された画像の比較に依存して補正画像を決定することと、
補正画像の逆投影又は逆伝搬をすることをさらに含む、請求項１５から１７のいずれか１項に記載の方法。
【発明の詳細な説明】
【技術分野】
【０００１】
本発明の実施形態は、被写体の３次元画像化（ｔｈｒｅｅ−ｄｉｍｅｎｓｉｏｎａｌ  ｉｍａｇｉｎｇ  ｏｆ  ａｎ  ｏｂｊｅｃｔ）のための装置および方法に関する。実施形態は、特に、被写体の少なくとも１つの振幅情報（ａｍｐｌｉｔｕｄｅ  ｉｎｆｏｒｍａｔｉｏｎ）が複数の画像から３次元的に再構成されるような装置および方法に関する。
【背景技術】
【０００２】
例えば生物または非生物の顕微鏡検査のような、非常に多くの使用例では、被写体を３次元的に再構成することが望ましい。これは、被写体から検出された複数の画像の演算処理によって達成することができる。少なくとも振幅情報を含み、被写体の空間的に変動する光学密度（ｓｐａｔｉａｌｌｙ  ｖａｒｉａｂｌｅ  ｏｐｔｉｃａｌ  ｄｅｎｓｉｔｙ）に関する情報を提供する３次元画像化は、被写体に関する追加情報を提供することができる。
【０００３】
複数の２次元画像の処理によって被写体の３次元画像を得るには、様々な技術を使用することができる。
【０００４】
断層撮影法では、その光源およびその検出器を備えた画像装置は、画像化される被写体に対して制御された態様で回転されることができる。３次元画像は複数の画像から生成されることができる。しかしながら、被写体に対する光源と検出器の両方の回転は、例えば顕微鏡検査の場合、複雑な機構を必要とすることがある。これにより、技術的実装がより困難になり、常に実現するとは限らない。光源および検出器に対する被写体の回転は、接触に敏感な（ｔｏｕｃｈ−ｓｅｎｓｉｔｉｖｅ）被写体の場合、実現不可能か、実現には困難が伴わざるを得ない。被写体を異なる位置に回転させるには、被写体を担体（ｃａｒｒｉｅｒ）に固定する必要がある場合があり、これは望ましくないことがある。
【０００５】
３Ｄタイコグラフィー（ｐｔｙｃｈｏｇｒａｐｈｙ）のような技術は、演算が複雑になることがある。これは、例えば、３次元画像化が時間的制約（ｔｉｍｅ  ｃｏｎｄｉｔｉｏｎｓ）を受けている場合には望ましくないことがある。一例として、３Ｄタイコグラフィーを使用してリアルタイム性（ｒｅａｌ−ｔｉｍｅ  ｃａｐａｂｉｌｉｔｙ）を有する被写体の３次元画像化を実施することは難題である。
【発明の概要】
【発明が解決しようとする課題】
【０００６】
被写体の３次元画像化のための改善された技術の必要がある。特に、効率的な方法で、複数の２次元画像から３次元情報が決定されることができる、被写体の３次元画像化を可能にする装置および方法の必要がある。被写体の周りの検出器の機械的移動を必要としない装置および方法の必要がある。
【課題を解決するための手段】
【０００７】
実施形態によれば、被写体が複数の照明角度で照明され、それぞれの場合に画像が記録される装置および方法が特定される。画像は、それぞれの場合に輝度画像（ｉｎｔｅｎｓｉｔｙ  ｉｍａｇｅ）であってもよい。複数の画像はさらに演算処理される。処理中、被写体は、複数の画像から３次元的に再構成される。ここでは、画像記録中、それぞれの場合において使用される照明角度に関する情報が使用されることができる。
【０００８】
被写体が複数の照明角度ごとに斜めに照射されることにより、被写体の３次元情報が複数の画像内の構造の変位（ｄｉｓｐｌａｃｅｍｅｎｔ  ｏｆ  ｓｔｒｕｃｔｕｒｅｓ）に変換される。これは、複数の画像および割り当てられた照明角度から３次元的に被写体を再構成するために使用されることができる。この場合、被写体の再構成は、少なくとも振幅情報の再構成を含んでもよい。いくつかの実施形態では、振幅情報および位相情報（ｐｈａｓｅ  ｉｎｆｏｒｍａｔｉｏｎ）の両方が再構成されてもよい。
【０００９】
複数の検出された画像は、２つ以上の画像を含んでもよい。複数の画像に含まれる画像の数は、２よりはるかに大きくてもよい。
【００１０】
複数の画像が検出されている間、検出器の位置は被写体に対して変化しないままであってもよい。
【００１１】
３次元情報を再構成するために、様々な技術が使用されてもよい。従来の断層撮影法と同様の処理が用いられてもよく、そこでは、固定されたカメラのため、照明ビームの方向に対するカメラの傾きが補償（ｃｏｍｐｅｎｓａｔｅｄ）される。
【００１２】
代替的または追加的に、投影法（ｐｒｏｊｅｃｔｉｏｎ  ｍｅｔｈｏｄ）が使われてもよい。これらは、被写体のボリューム（ａ  ｖｏｌｕｍｅ  ｏｆ  ｔｈｅ  ｓｕｂｊｅｃｔ）からイメージセンサ平面（ｉｍａｇｅ  ｓｅｎｓｏｒ  ｐｌａｎｅ）への順投影（ｆｏｒｗａｒｄ  ｐｒｏｊｅｃｔｉｏｎｓ）と、イメージセンサ平面から被写体のボリュームへの逆投影（ｂａｃｋｗａｒｄ  ｐｒｏｊｅｃｔｉｏｎｓ）のシーケンスを含んでもよい。３次元情報は反復して再構成されてもよい。
【００１３】
代替的または追加的に、被写体を通過する、異なる断面に対応する画像スタック（ｉｍａｇｅ  ｓｔａｃｋ）の画像は、演算により決定されてもよい。この目的のため、イメージセンサ上での異なる断面のｚデフォーカス（ｚ−ｄｅｆｏｃｕｓ）によって引き起こされる変位は、演算により反転（ｉｎｖｅｒｔｅｄ）されてもよい。この方法により修正された画像は、３次元の振幅情報を得るために、他の方法で合計され（ｓｕｍｍｅｄ）、または組み合わされても（ｃｏｍｂｉｎｅｄ）よい。あるいは、複数の画像における構造同定に基づいて、少なくとも２つの画像の間の構造の照明角度に依存した変位を同定することができ、そのｚデフォーカス、すなわち光軸に沿った位置が推定される。
【００１４】
様々な技術が組み合わされてもよい。これに関して、一例として、まず、構造同定によって、光軸に沿った位置を複数の画像に含まれる構造に割り当てる試みがなされてもよい。この割り当ては、異なる画像間の照明角度に依存した変位（ｉｌｌｕｍｉｎａｔｉｏｎ  ａｎｇｌｅ−ｄｅｐｅｎｄｅｎｔ  ｄｉｓｐｌａｃｅｍｅｎｔ）に依存して実行されてもよい。この方法により決定された３次元振幅情報は、更なる技術、例えば逐次近似法（ｉｔｅｒａｔｉｖｅ  ｔｅｃｈｎｉｑｕｅｓ）又は断層撮影技術（ｔｏｍｏｇｒａｐｈｉｃ  ｔｅｃｈｎｉｑｕｅｓ）の入力変数（ｉｎｐｕｔ  ｖａｒｉａｂｌｅ）として使用されてもよい。
【００１５】
実施形態による装置および方法の場合、被写体の３次元情報の決定は、演算上効率的な方法で行われてもよい。複数の照明角度での照明および画像の演算処理における照明角度の考慮により、従来の断層撮影法における検出器および光源の移動に関連する問題を低減することができる。複数の画像の演算による組み合わせ（ｃｏｍｐｕｔａｔｉｏｎａｌ  ｃｏｍｂｉｎａｔｉｏｎ）は演算上効率的に実行できる操作により実現することができ、リアルタイム条件を満たすことができる。
【００１６】
一実施形態による被写体の３次元画像化のための装置は、被写体を照明するための複数の照明角度を設定するために制御可能な照明装置を含む。この装置は、イメージセンサを有する検出器を備え、そのイメージセンサは、複数の照明角度における被写体の複数の画像を取り込む（ｃａｐｔｕｒｅ）ように構成される。この装置は、イメージセンサに接続した、複数の画像を処理するための電子処理装置を含む。電子処理装置は、複数の画像に依存して被写体の３次元振幅情報を再構成するように構成されてもよい。
【００１７】
装置は、複数の画像の記録中、被写体に対する検出器の位置が変化しないように構成されてもよい。
【００１８】
複数の画像の各画像は、輝度画像であってもよい。
【００１９】
電子処理装置は、被写体の体積要素（ｖｏｌｕｍｅ  ｅｌｅｍｅｎｔ）が複数の照明角度について画像化されるイメージセンサの画素に依存して３次元振幅情報を再構成するように構成されてもよい。
【００２０】
電子処理装置は、体積要素と検出器の焦点面（ｆｏｃａｌ  ｐｌａｎｅ）の間の距離に依存して、複数の照明角度に対して被写体の体積要素がそれぞれ画像化されるイメージセンサの画素を決定するように構成されてもよい。この方法によれば、斜め方向からの照明の場合に焦点面からの距離が変換される変位を３次元再構成のために目標とする方法で使用することができる。
【００２１】
電子処理装置は、異なる照明角度において、イメージセンサの画素によって検出された輝度に依存して、複数の異なる平面に配置された被写体の複数の体積要素の振幅情報を再構成するように構成されてもよい。これにより、被写体のどの体積要素の発光が、被写体の異なる断面において照明装置から検出器までの経路上を通過するかを考慮することが可能となる。
【００２２】
電子処理装置は、複数の照明角度の各照明角度について、照明角度に割り当てられた変換を、対応する照明角度に対して検出された画像に適用するように構成されてもよい。変換は、被写体に対する検出器の仮想傾斜（ｖｉｒｔｕａｌ  ｔｉｌｔｉｎｇ）に対応するものでもよい。これにより、照明角度に依存して検出器が照明ビームに対して傾いていることがあるという事実を補償することが可能となる。
【００２３】
電子処理装置は、複数の修正された画像を生成するために、複数の画像の少なくとも一部にそれぞれの照明角度に割り当てられた変換を適用するように構成されてもよい。電子処理装置は、複数の修正された画像から３次元振幅情報を再構成するように構成してもよい。
【００２４】
電子処理装置は、被写体から画像平面への順方向伝搬（ｆｏｒｗａｒｄ  ｐｒｏｐａｇａｔｉｏｎ）および／または逆伝搬（ｂａｃｋ−ｐｒｏｐａｇａｔｉｏｎ）によって３次元振幅情報を決定するように構成されていてもよい。３次元振幅情報に基づくイメージセンサ上の輝度分布の演算による決定は、例えば投影（ｐｒｏｊｅｃｔｉｏｎ）または光照射野の伝搬（ｐｒｏｐａｇａｔｉｏｎ  ｏｆ  ａ  ｌｉｇｈｔ  ｆｉｅｌｄ）によって決定される。イメージセンサから被写体の体積要素への画像化は、像面から被写体の体積要素への投影、または光照射野の逆伝搬によって決定されてもよい。電子処理装置は、順方向伝搬と逆伝搬のシーケンスを反復して実行するように構成されてもよい。
【００２５】
電子処理装置は、複数の照明角度のうちの１つの照明角度に対する３次元振幅情報の推定のため、イメージセンサ上でどのような輝度分布が生じるかを演算により決定するように構成されてもよい。電子処理装置は、演算により決定された輝度分布とその照明方向について検出された画像の比較に依存する補正画像を決定するように構成されてもよい。電子処理装置は、補正画像を逆投影するか（ｐｒｏｊｅｃｔ  ｔｈｅ  ｃｏｒｒｅｃｔｉｏｎ  ｉｍａｇｅ  ｂａｃｋｗａｒｄ）、または逆伝搬をする（ｐｒｏｐａｇａｔｅ  ｉｔ  ｂａｃｋｗａｒｄ）ように構成されてもよい。この場合、補正画像は、被写体の体積要素に画像化されてもよい。
【００２６】
電子処理装置は、推定および照明角度に依存して異なる方法で輝度分布を決定してもよい。非幾何学的効果も考慮した順方向伝搬が行われてもよい。イメージセンサへの順方向投影が演算されてもよい。
【００２７】
補正画像は、差分画像（ｄｉｆｆｅｒｅｎｃｅ  ｉｍａｇｅ）であってもよいし、商画像（ｑｕｏｔｉｅｎｔ  ｉｍａｇｅ）であってもよい。
【００２８】
電子処理装置は、複数の異なる平面に配置された体積要素に逆投影または逆伝搬を実行するように構成されてもよい。異なる平面は、装置の光軸に沿って離れていてもよく、それぞれの場合に光軸に対して垂直であってもよい。
【００２９】
電子処理装置は、逆投影に依存して推定を更新するように構成されてもよい。
【００３０】
電子処理装置は、少なくとも１つの更なる照明角度に対して補正画像および逆投影又は逆伝搬の決定を反復して繰り返すように構成されてもよい。電子処理装置は、少なくとも１つの更なる照明角度に対する補正画像の決定、逆投影又は逆伝搬および推定の更新を反復して繰り返すように構成されてもよい。
【００３１】
電子処理装置は、３次元振幅情報を再構成する目的で、複数の画像の少なくとも一部に対して、画像記録中の照明角度に依存した歪みを反転させるように構成されてもよい。
【００３２】
電子処理装置は、３次元振幅情報を再構成するため、複数の画像から被写体の画像スタックを演算するように構成されてもよい。この画像スタックの画像は、それぞれの場合に振幅情報を含んでもよい。
【００３３】
電子処理装置は、断層面に沿って被写体を通る断面を表す画像スタックの画像を演算する目的で、複数の画像の少なくとも一部に変換を適用するように構成されてもよく、変換は対応する画像を記録する際の照明角度と断層面の位置に依存する。
【００３４】
電子処理装置は、異なる照明角度に対して検出された少なくとも２つの画像において、相互に対応する構造を同定するように構成されてもよい。
【００３５】
電子処理装置は、少なくとも２つの画像内の相互に対応する構造間の変位に依存して、被写体内の相互に対応する構造の位置を決定するように構成されてもよい。電子処理装置は、少なくとも２つの画像内の相互に対応する構造間の変位に依存して、装置の光軸に沿った少なくとも１つの座標（ｃｏｏｒｄｉｎａｔｅ）を決定するように構成されてもよい。
【００３６】
電子処理装置は、複数の画像に依存して被写体の３次元位相情報（ｔｈｒｅｅ−ｄｉｍｅｎｓｉｏｎａｌ  ｐｈａｓｅ  ｉｎｆｏｒｍａｔｉｏｎ）を再構成するように構成されてもよい。
【００３７】
装置は顕微鏡システムであってもよい。
【００３８】
装置は、デジタル顕微鏡であってもよい。
【００３９】
一実施形態による被写体の３次元記録の方法は、被写体が複数の照明角度で照明されるときに複数の画像を記録するステップを含む。この方法は、複数の画像を処理することを含む。この場合、被写体は３次元的に再構成される。被写体の３次元振幅情報の少なくとも１つは、複数の画像から再構成される。
【００４０】
この方法は、一実施形態による装置によって自動的に実行されてもよい。
【００４１】
この方法では、複数の画像の記録中、被写体に対する検出器の位置は不変であってもよい。
【００４２】
複数の画像の各画像は、輝度画像であってもよい。
【００４３】
この方法では、３次元振幅情報は、複数の照明角度に対して被写体の体積要素がそれぞれ画像化されるイメージセンサの画素に依存して再構成されてもよい。
【００４４】
この方法では、体積要素と検出器の焦点面との間の距離に依存して、複数の照明角度について、被写体の体積要素がそれぞれ画像化されるイメージセンサの画素を決定することが可能である。このようにして、斜めの照明（ｏｂｌｉｑｕｅ  ｉｌｌｕｍｉｎａｔｉｏｎ）の場合に焦点面からの距離が変換される変位を、３次元再構成のために目標通りに使用することができる。
【００４５】
この方法では、複数の異なる平面に配置された被写体の複数の体積要素の振幅情報を、異なる照明角度において、イメージセンサの画素において検出される輝度に依存して再構成されてもよい。これにより、それぞれの場合に、被写体のうち、どの体積要素が、被写体の異なる断面において照明装置から検出器までの経路上を通過するかを考慮することが可能となる。
【００４６】
この方法では、複数の照明角度の各照明角度について、照明角度に割り当てられた変換が、対応する照明角度について検出された画像に適用されてもよい。変換は、被写体に対する検出器の仮想傾斜に対応するものでもよい。これにより、照明角度に依存して検出器が照明ビームに対して傾いていることがあるという事実を補償することができる。
【００４７】
この方法では、複数の修正された画像を生成するために、それぞれの照明角度に割り当てられた変換を、複数の画像の少なくとも一部に適用してもよい。３次元振幅情報は、複数の修正された画像から再構成されてもよい。
【００４８】
この方法では、３次元振幅情報は、順投影および逆投影のシーケンスによって決定されてもよい。３次元振幅情報からのイメージセンサ上の輝度分布の演算による決定は、例えば投影又は光照射野の伝搬によって決定される。イメージセンサから被写体の体積要素への画像化は、像面から被写体の体積要素への投影、または光照射野の逆伝搬によって決定されてもよい。電子処理装置は、順方向伝搬と逆伝搬のシーケンスを反復して実行するように構成されてもよい。
【００４９】
３次元情報の再構成は、複数の照明角度のうちの１つの照明角度に対する３次元振幅情報の推定からのイメージセンサ上の輝度分布の計算を含んでもよい。３次元情報の再構成は、演算による輝度分布と、その照明方向について検出された画像との比較に依存する補正画像の決定を含んでもよい。３次元画像の再構成は、補正画像の逆投影または逆伝搬を含んでもよい。
【００５０】
補正画像は、差分画像であってもよいし、商画像であってもよい。
【００５１】
補正画像の逆投影または逆伝搬は、複数の異なる平面に配置された体積要素に実行されてもよい。異なる平面は、装置の光軸に沿って離れていてもよく、それぞれの場合に光軸に対して垂直であってもよい。
【００５２】
３次元情報の再構成は、逆投影に依存して推定を更新することを含んでもよい。
【００５３】
３次元情報の再構成は、少なくとも１つの更なる照明角度に対する補正画像および逆投影又は逆伝搬の決定を反復して繰り返す（ｉｔｅｒａｔｉｖｅ  ｒｅｐｅｔｉｔｉｏｎ）ことを含んでもよい。３次元情報の再構成は、補正画像の決定、逆投影または逆伝搬、および少なくとも１つの別の照明角度に対する推定の更新の反復した繰り返しを含んでもよい。
【００５４】
３次元振幅情報の再構成は、対応する画像の記録中、照明角度に依存する歪みが反転されるという事実を含んでもよい。
【００５５】
３次元振幅情報を再構成する目的で、複数の画像から被写体の画像スタックを演算することが可能である。
【００５６】
断面を通る被写体を通る断面を表す画像スタックの画像を計算するために、複数の画像の少なくとも一部に変換が適用されてもよい。変換は、対応する画像の記録中の照明角度および断層面の位置に依存してもよい。
【００５７】
この方法は、異なる照明角度に対して検出された、少なくとも２つの画像における相互に対応する構造を同定するための構造同定を含んでもよい。相互に対応する構造は、異なる画像における同じ被写体の構造の画像であってもよい。
【００５８】
３次元振幅情報を再構成する目的で、少なくとも２つの画像内の相互に対応する構造間の変位に依存して被写体内の相互に対応する構造の位置を決定してもよい。少なくとも２つの画像における相互に対応する構造間の変位に依存して、光軸に沿った少なくとも１つの座標を決定してもよい。
【００５９】
この方法は、複数の画像に依存する被写体の３次元位相情報の再構成を含んでもよい。
【００６０】
装置は顕微鏡システムであってもよい。
【００６１】
この装置は、デジタル顕微鏡であってもよい。
【００６２】
装置および方法では、複数の画像を伝送装置（ｔｒａｎｓｍｉｓｓｉｏｎ  ａｒｒａｎｇｅｍｅｎｔ）で検出してもよい。画像は、反射装置（ｒｅｆｌｅｃｔｉｏｎ  ａｒｒａｎｇｅｍｅｎｔ）で検出してもよい。
【発明の効果】
【００６３】
本件実施形態による装置および方法は、被写体に対する検出器の制御された移動を必要とせずに、被写体の３次元画像化を可能にする。３次元振幅情報を再構成するための複数の画像の処理を効率的な方法で実行されてもよい。
【００６４】
上述の特徴および以下に説明する特徴は、本発明の保護の範囲から逸脱することなく、明示的に設定された対応する組み合わせだけでなく、さらなる組み合わせまたは単独で使用されてもよい。
【図面の簡単な説明】
【００６５】
本発明の上述の特性、特徴および利点、ならびにそれらが達成される方法は、図面と関連してより詳細に説明される実施形態の以下の説明に伴って、より明白となり、より明確に理解される。
【図１】一実施形態による装置の概略図である。
【図２】一実施形態による方法の流れ図である。
【図３】実施形態による装置および方法における複数の画像の処理を示す図である。
【図４】照明の方向に対する検出器の傾きが少なくとも部分的に補償される実施形態による装置および方法による複数の画像の処理を示す図である。
【図５】照明の方向に対する検出器の傾きが少なくとも部分的に補償される実施形態による装置および方法による複数の画像の処理を示す図である。
【図６】一実施形態による方法の流れ図である。
【図７】一実施形態による方法の流れ図である。
【図８】一実施形態による方法の流れ図である。
【図９】画像スタックが決定される実施形態による装置および方法による複数の画像の処理を示す図である。
【図１０】画像スタックが決定される実施形態による装置および方法による複数の画像の処理を示す図である。
【図１１】一実施形態による方法の流れ図である。
【図１２】構造同定がｚ位置を決定するために実行される実施形態による装置および方法による複数の画像の処理を示す。
【図１３】一実施形態による方法の流れ図である。
【図１４】一実施形態による方法の流れ図である。
【図１５】一実施形態による装置のブロック図である。
【発明を実施するための形態】
【００６６】
本発明は、図面を参照して、好ましい実施形態に基づき、以下に、より詳細に説明される。図面において、同一の参照記号は同一または類似の要素を示す。図面は、本発明の様々な実施形態の概略図である。図に示される要素は、必ずしも縮尺どおりに図示されていない。むしろ、図に示された様々な要素は、その機能および目的が当業者に理解可能となるようにされる。
【００６７】
図面に示されている機能ユニットと要素との間の接続および結合は、間接的な接続または結合として実施されてもよい。接続または結合は、有線または無線方式で実施されてもよい。
【００６８】
以下、被写体を３次元的に画像化する技術について説明する。この場合、少なくとも１つの振幅情報が３次元的に再構成される。３次元振幅情報の再構成とは、特に３次元の位置の関数としての被写体の吸光度または光学密度を表す３次元情報の決定を意味すると理解される。
【００６９】
以下により詳細に説明するように、本発明の実施形態では、被写体の複数の画像は逐次記録される。記録された画像は、それぞれの場合に輝度画像であってもよい。被写体を照明するための照明角度は、複数の画像を記録するための異なる値に設定される。画像を検出する検出器は静止していてもよい。被写体に対する検出器の位置は、複数の画像が検出されている間、一定のままでもよい。
【００７０】
被写体は、複数の画像から３次元的に再構成されてもよく、少なくとも振幅情報は空間的に分解され（ｓｐａｔｉａｌｌｙ  ｒｅｓｏｌｖｅｄ）、３次元的に決定される。複数の画像は、図３から図１４を参照してより詳細に説明するように、様々な方法で処理されてもよい。
【００７１】
複数の画像を組み合わせることにより、被写体の３次元情報を演算により推論することができるので、被写体の斜め照明は、イメージセンサの平面内の画像の変位をもたらす。個々の被写体の構造が画像内で表される変位から、それぞれ使用される照明角度に依存して、対応する構造の３次元位置を推定することができる。
【００７２】
３次元情報の再構成を含む検出された画像の処理は、画像記録装置の記憶媒体に不揮発的に記憶されたデータに基づいてもよい。データは、照明角度に依存した画像の画素と被写体の体積要素（ボクセル）との間の結像のための画像および／または情報のそれぞれの適用可能な変換を、異なる照明角度に対して含んでもよい。
【００７３】
図１は、一実施形態による被写体２の３次元画像化のための装置１の概略図である。装置１は、実施形態による方法を自動的に実行するように構成してもよい。装置１は、顕微鏡システムであってもよく、またはさらに詳細に説明される制御可能な照明装置、イメージセンサを有するカメラおよび反射を抑制する電子処理装置を備える顕微鏡を備えてもよい。
【００７４】
装置１は、光源１１を有する照明装置を含む。集光レンズ１２は、それ自体公知の方法で、光源１１によって放射された光を画像化される被写体２に向けるものでもよい。照明装置は、複数の異なる照明角度４で被写体２に光が放射されるように構成されている。この目的のために、例えば、光源１１は、複数の発光ダイオード（ＬＥＤ）を有する、ＬＥＤ装置（ＬＥＤ  ａｒｒａｎｇｅｍｅｎｔ）であってもよく、そのＬＥＤは個別に駆動できてもよい。ＬＥＤ装置は、ＬＥＤリング装置であってもよい。代替的に、制御可能な要素は、異なる照明角度を提供するために、従来の光源が拡大されて画像化される中間像面（ｉｎｔｅｒｍｅｄｉａｔｅ  ｉｍａｇｅ  ｐｌａｎｅ）に配置されてもよい。制御可能な要素は、可動ピンホールストップ（ｍｏｖａｂｌｅ  ｐｉｎｈｏｌｅ  ｓｔｏｐ）、マイクロミラーアレイ、液晶マトリックスまたは空間光変調器（ｓｐａｔｉａｌ  ｌｉｇｈｔ  ｍｏｄｕｌａｔｏｒ）を含む。
【００７５】
照明装置は、光軸５で形成された照明角度４の絶対値が変化するように構成されてもよい。照明装置は、照明角度４で被写体を照明することができるビーム３の方向も、光軸５の周りで極方向（ｐｏｌａｒ  ｄｉｒｅｃｔｉｏｎ）に動くように構成してもよい。照明角度は、ここでは、θxとθyとして指定される角度の組み合わせを調整することで３次元的に決定してもよい。角度θxはｘｚ平面上のビーム３の方向を決めてもよい。角度θyはｙｚ平面上のビーム３の方向を決めてもよい。
【００７６】
装置１の検出器１４は、いずれの場合にも、被写体２が照明されている複数の照明角度のそれぞれについて被写体２の少なくとも１つの画像を検出する。画像はいずれの場合にも輝度画像である。検出器１４のイメージセンサ１５は、例えばＣＣＤセンサー、ＣＭＯＳセンサー、又はＴＤＩ（「時間遅延積分方式（ｔｉｍｅ  ｄｅｌａｙ  ａｎｄ  ｉｎｔｅｇｒａｔｉｏｎ）」）ＣＣＤセンサーとして構成されてもよい。撮像光学ユニット（ｉｍａｇｉｎｇ  ｏｐｔｉｃａｌ  ｕｎｉｔ）、例えば顕微鏡対物レンズ１３（模式的にのみ図示）は、イメージセンサ１５において被写体２の拡大画像を生成してもよい。イメージセンサ１５は、輝度画像を記録するように構成されてもよい。
【００７７】
装置１は、電子処理装置２０を備える。電子処理装置は、複数の照明角度に対して被写体２から検出された複数の画像をさらに処理する。電子処理装置２０は複数の画像に依存して３次元画像を決定するように構成されている。図３から図１３を参照してさらに詳細に説明するように、その処理は、ビーム３の方向に対する検出器の傾きを補償するための画像の変換を含んでもよい。変換画像（ｔｒａｎｓｆｏｒｍｅｄ  ｉｍａｇｅｓ）は、被写体の３次元情報を再構成するために断層撮影法を用いてさらに処理されてもよい。その処理は、照明角度に対する３次元の被写体の推定が像面に演算により投影される逐次近似法を含んでもよく、その投影は、この照明角度に対して実際に検出された画像と比較され、その比較結果に依存して補正画像が決定される。補正画像は、その推定を更新するために、逆投影されてもよい。これらのステップは、異なる照明角度について繰り返されてもよい。この処理は、代替的に又は付加的に、画像スタックの計算、例えば、いわゆるｚ画像スタック又は画像スタックの画像が振幅情報を含む「ｚスタック」の計算を含んでもよい。
【００７８】
装置１は、複数の画像を処理するための情報を有する記憶媒体２１を含んでもよい。電子処理装置２０は、記憶媒体に接続されるか、または記憶媒体を含んでもよい。電子処理装置２０は、それぞれの照明角度について、記録媒体の情報によりその照明角度で記録された画像ごとに適用される変換を決定することができる。
【００７９】
実施形態による装置の機能は、図２から図１５を参照して、より詳細に説明される。
【００８０】
図２は、一実施形態による方法３０の流れ図である。この方法は、画像記録装置１によって自動的に行われてもよい。
【００８１】
ステップ３１において、被写体は、第１の照明角度で照射される。照明装置は、例えば、電子処理装置２０によって駆動され、被写体は第１の照明角度で照射される。イメージセンサ１５は、第１の画像を検出する。第１の画像は、第１の輝度画像であってもよい。
【００８２】
ステップ３２において、被写体は、第１の照明角度とは異なる第２の照明角度で照明される。この目的のために、照明装置は、対応する方法で駆動されてもよい。イメージセンサ１５は、第２の画像を検出する。第２の画像は、第２の輝度画像であってもよい。
【００８３】
異なる照明角度での被写体の連続照明と画像記録が繰り返されてもよい。
【００８４】
ステップ３３において、被写体はＮ番目の照明角度で照明される（Ｎは２より大きい整数である）。この目的のために照明器具はそれに対応した方法で駆動されてもよい。イメージセンサ１５はＮ番目の画像を検出する。画像の番号Ｎは１より大きくてもよい。また、１つの照明角度に対して複数の画像を取り込むことも可能である。
【００８５】
ステップ３４において、複数の画像に依存して、被写体の３次元情報が再構成される。振幅情報が再構成されてもよい。位相情報は選択的に再構成されてもよい。図３から図１４を参照してより詳細に説明するように、複数の画像を処理するために様々な技術を使用することができる。
【００８６】
下記に詳細に説明するように、被写体の３次元情報を再構成するために、様々な方法で、被写体の体積要素が、異なる照明角度ごとにイメージセンサ１５の画素にどのように結像されるかを利用することが可能である。３次元情報の再構成は、被写体が配置されるボリュームの複数の体積要素（当該技術分野ではボクセルとも呼ばれる）のそれぞれの振幅値（ａｍｐｌｉｔｕｄｅ  ｖａｌｕｅ）を決定することを含んでもよい。振幅値は、体積要素の対応する位置での被写体の吸光度または光学密度を表してもよい。体積要素は、規則格子（ｒｅｇｕｌａｒ  ｌａｔｔｉｃｅ）または不規則格子（ｉｒｒｅｇｕｌａｒ  ｌａｔｔｉｃｅ）に配置されてもよい。
【００８７】
この分野の用語によれば、短い表現では、「体積要素が演算される」または「体積要素が再構成される」と述べられるが、それは、例えば、対応する位置における被写体の吸光度または光学密度を示す少なくとも一つの振幅値が前記体積要素ごとに演算されるとの意味だと理解される。
【００８８】
複数の照明方向ごとに体積要素がそれぞれの場合にイメージセンサの画素にどのように結像されるかの情報は、図３から図１３を参照して詳細に説明されるように、様々な方法で利用され得る。
【００８９】
図３から図８を参照して説明するように、３次元振幅情報は、イメージセンサの画像平面から体積要素への逆投影を含む技術を用いて演算されることができる。逆投影は、照明角度に依存して実行され、異なる照明角度で記録された画像に対応して異なるものである。逆投影は、ビーム３が光軸に沿って異なる平面に配置された複数の体積要素を通過してから、イメージセンサのピクセルに衝突するという事実を考慮する。
【００９０】
逆投影は、ビーム３に対するイメージセンサの傾きを補償するために、最初に記録された画像が照明角度に依存して変換されるように実行されてもよい。変換画像は、体積要素に逆投影されてもよい。
【００９１】
逆投影は、３次元振幅情報の推定のイメージセンサへの投影を逐次近似法により演算するような方法により行われてもよい。補正画像は、推定の投影と対応する照明角度で実際に検出された画像の比較に依存する。推定を更新するために、補正画像が体積要素に逆投影されてもよい。これらのステップは、収束基準（ｃｏｎｖｅｒｇｅｎｃｅ  ｃｒｉｔｅｒｉｏｎ）が満たされるまで、異なる照明角度に対して繰り返して反復されてもよい。
【００９２】
図３は、実施形態による方法および装置における３次元情報の再構成を示す。被写体２の３次元情報を決定するために、格子４０の体積要素４１、４２には、それぞれ複数の検出画像５１−５３に依存して決定される少なくとも１つの値が割り当てられる。格子４０の頂点４１、４２は体積要素を表し、この場合、例えばそれぞれの体積要素の中点（ｍｉｄｐｏｉｎｔ）、角（ｃｏｒｎｅｒ）またはエッジの中点（ｅｄｇｅ  ｍｉｄｐｏｉｎｔ）を構成してもよい。
【００９３】
異なる照明角度での照明のために順次使用されるビーム４６−４８の場合、斜めの照明は、イメージセンサの平面上における被写体の結像の歪み（ｄｉｓｔｏｒｔｉｏｎ  ｏｆ  ｔｈｅ  ｉｍａｇｉｎｇ）をもたらす。この歪みは、照明角度に依存するビーム４６−４８の方向に対するイメージセンサの平面の可変の傾きに起因する。
【００９４】
被写体の体積要素４１は、照明方向に依存してイメージセンサ１５の異なる画素に対応して結像される。異なる画像５１−５３内の構造５０は、異なる画像領域（ｉｍａｇｅ  ｒｅｇｉｏｎｓ）内で表現されてもいいが、体積要素４１および追加の体積要素のイメージセンサ１５の像面への投影により生成されてもよい。
【００９５】
逆に、イメージセンサの各画素５４は、ビーム４６−４８の異なる照明方向に対する輝度情報を検出し、前記輝度情報は、ビーム４６−４８に沿って並んで配置された複数の体積要素の吸光度または光学密度に依存する。
【００９６】
実施形態において、複数の画像５１−５３の照明角度に依存する歪みを組み合わせることによって、被写体の３次元情報を再構成することが可能である。
【００９７】
図４は、一実施形態における被写体の３次元情報の再構成の機能を示す。
【００９８】
ビーム３は、ｘｚ平面および／またはｘｙ平面に対して傾斜していてもよい。ビーム３の方向は３次元における角度を決定し、この角度は、例えばｘｚ平面に対する傾きおよびｘｙ平面に対する傾きを示す２つの角度座標（ａｎｇｌｅ  ｃｏｏｒｄｉｎａｔｅｓ）によって表されてもよい。
【００９９】
検出器１４の中心軸は、少なくともいくつかの照明角度におけるビーム３の方向に対して傾斜している。これは、光源とイメージセンサが共に被写体２に対して移動する従来の断層撮影法とは対照的である。傾きは、ビーム３の中心軸がイメージセンサ１５の感知面に対して垂直でないという効果を有する。これは照明角度に依存する歪みをもたらす。
【０１００】
被写体情報を再構成するために、以下の手順が採用されてもよい。第１に、検出された画像の少なくとも一部が変換される。変換は、それぞれの画像を検出した間の照明角度に依存してもよい。変換は、検出器１４によって検出された画像を、仮想的に傾斜した位置（ｖｉｒｔｕａｌｌｙ  ｔｉｌｔｅｄ  ｐｏｓｉｔｉｏｎ）６１において検出器１４によって検出されるであろう変換画像に画像化するように選択されてもよい。実際に検出される画像の座標が変換画像の座標に画像化される変換行列（ｔｒａｎｓｆｏｒｍａｔｉｏｎ  ｍａｔｒｉｘ）は、例えば、少なくとも２つのオイラー行列の積（ａ  ｐｒｏｄｕｃｔ  ｏｆ  ａｔ  ｌｅａｓｔ  ｔｗｏ  Ｅｕｌｅｒ  ｍａｔｒｉｃｅｓ）を含んでもよい。２つのオイラー行列は、検出器１４の中心軸がビーム３に対して角度θxとθyだけ傾いていることを表してもよい。
【０１０１】
各照明角度に対して、変換は事前に演算され、装置１の記憶媒体に不揮発的に記憶されてもよい。変換は、検出された画像を変換画像に結像させる照明角度のそれぞれについて、例えば行列（ｍａｔｒｉｘ）またはその他の画像化の仕様（ｉｍａｇｉｎｇ  ｓｐｅｃｉｆｉｃａｔｉｏｎ）として、記憶されてもよい。この場合、変換画像は、検出器１４の中心軸とビーム３との間の傾きを補償し、検出器１４がビーム３と共に被写体２の周りを動かされたなら検出器１４によって検出されたであろう画像を近似（ａｐｐｒｏｘｉｍａｔｅ）する。
【０１０２】
そして、変換画像は格子４０の体積要素に逆投影される。変換画像は、検出器１４とビーム３との間の傾きを補償するので、従来の断層撮影法から知られている逆投影技術が使用されてもよい。
【０１０３】
変換画像は、フィルタ逆投影法（ｆｉｌｔｅｒｅｄ  ｂａｃｋ−ｐｒｏｊｅｃｔｉｏｎ）によって体積要素に投影されてもよい。変換画像は、被写体の３次元情報を決定するために、逆ラドン変換（ｉｎｖｅｒｓｅ  Ｒａｄｏｎ  ｔｒａｎｓｆｏｒｍａｔｉｏｎ）によって処理されてもよい。
【０１０４】
一例として、変換画像の処理の間に、変換画像のピクセル値（ｔｈｅ  ｖａｌｕｅ  ｏｆ  ａ  ｐｉｘｅｌ）は、対応する照明角度で変換画像の画素に結像する各体積要素の値に加算されてもよい。これは、異なる照明角度に対して繰り返されてもよい。このようにして、体積要素の振幅情報の値は、異なる照明角度ごとに対応する体積要素が結像する別の画像のピクセル値の合計（ｓｕｍ）として決定されてもよい。前記合計は、対応する位置での被写体の吸光度または光学密度の尺度である。加算（ｓｕｍｍａｔｉｏｎ）の代わりに、他の線形結合（ｌｉｎｅａｒ  ｃｏｍｂｉｎａｔｉｏｎ）が行われてもよく、線形結合における別の変換画像についての係数は異なっていてもよい。
【０１０５】
図５は、検出器１４の光軸とビーム方向との間の傾きが少なくとも部分的には補償されるように、検出された画像５１−５３が変換される装置および方法の動作方法を示す。変換Ｔ1、Ｔ3は、画像５１、５３に対し決定され、画像５１、５３についてのビーム３は検出器１４の光軸と平行でなく、イメージセンサの感知面（ｓｅｎｓｉｔｉｖｅ  ｐｌａｎｅ）に対して垂直でない。変換Ｔ1、Ｔ3は、いずれの場合も歪み場（ｄｉｓｔｏｒｔｉｏｎ  ｆｉｅｌｄ）であってもよい。歪み場は、検出器とビームの間の傾きを理由とする歪みを表す。検出器の光軸がビーム３と平行である場合の画像５２について、変換Ｔ２は恒等変換（ｉｄｅｎｔｉｔｙ  ｔｒａｎｓｆｏｒｍａｔｉｏｎ）であってもよい。複数の画像５１、５３について、検出画像５１、５３は、変換によって取り替えられ（ｄｉｓｐｌａｘｅｄ）、および／または修正（ｒｅｃｔｉｆｉｅｄ）される。
【０１０６】
それぞれの照明角度に割り当てられた変換は、各画像５１−５３に適用される。このようにして、変換画像５４−５６が決定される。変換画像５４−５６は、照明角度に依存して動かされる検出器によって検出されたであろう画像を近似する。変換画像５４−５６は、従来の断層撮影法で３次元情報を再構成するために使用される任意のアルゴリズムを使用して処理することができる。一例として、逆ラドン変換またはフィルタ逆投影法を使用することができる。
【０１０７】
変換画像５４−５６の処理は、３次元情報５７を再構成することを可能にする。この場合、振幅値は、ボクセル格子の各体積要素について決定されてもよい。振幅値は、対応する位置での被写体２の吸光度または光学密度に依存してもよい。振幅値は、対応する位置での被写体２の吸光度または光学密度を示してもよい。図５を参照すると、再構成によって決定される、異なる光学密度が、ボクセル格子４０の頂点が異なるように充填されることによって概略的に示されている。
【０１０８】
図６は、一実施形態による装置によって自動的に実行される方法６０の流れ図である。この方法では、画像はまず、検出器１４の光軸とビーム方向との間の傾きを少なくとも部分的に補償するために変換される。変換画像は、断層撮影アルゴリズム（ｔｏｍｏｇｒａｐｈｙ  ａｌｇｏｒｉｔｈｍ）の入力変数（ｉｎｐｕｔ  ｖａｒｉａｂｌｅｓ）として使用される。
【０１０９】
ステップ６１では、被写体のＮ個の画像が記録される。Ｎ個の画像は、異なる照明角度に対して順次記録されてもよい。それぞれの場合において、少なくとも１つの輝度画像が、複数の照明角度の各照明角度について検出されてもよい。複数の照明角度に対して、被写体は斜めに照明され、照明ビームと検出器の光軸は互いに平行ではない。
【０１１０】
ステップ６２において、Ｎ個の画像の全てまたは少なくとも一部が変換される。変換は、それぞれの照明角度に依存する。変換は、照明ビームのビーム軸に対する検出器の傾きを補償してもよい。この変換により、照明ビームとともに動かされる検出器によって検出されたであろう画像を近似することが可能になる。変換は、検出された画像の座標を、変換画像の座標に画像化して、検出器の傾きが補償されるようにしてもよい。
【０１１１】
ステップ６３において、変換画像から被写体の情報の断層撮影再構成（ｔｏｍｏｇｒａｐｈｉｃ  ｒｅｃｏｎｓｔｒｕｃｔｉｏｎ）が実行される。再構成は、それ自体既知の多数の断層撮影アルゴリズム、例えば、逆ラドン変換またはフィルタ逆投影を使用することができる。しかしながら、従来の断層撮影法とは対照的に、ステップ６２の変換画像は入力変数として使用され、変換画像は、たとえ照明が被写体２に異なる角度で入射したとしても、検出器１４は被写体２に対する位置を維持するという事実を考慮する。
【０１１２】
ステップ６３では、少なくとも被写体の振幅情報が再構成されてもよく、その振幅情報は、位置の関数としての吸光度または光学密度に依存する。検出された画像の差を逆投影と組み合わせて形成することによって、位相情報を任意に３次元的に再構成されてもよい。
【０１１３】
方法６０は、反復を含まないように実行されてもよい。これにより、３次元情報を特に効率的かつ迅速に決定することができる。あるいは、逐次近似法による再構成技術（ｉｔｅｒａｔｉｖｅ  ｒｅｃｏｎｓｔｒｕｃｔｉｏｎ  ｔｅｃｈｎｉｑｕｅｓ）が使用されてもよい。一例として、方法６０に従って得られた３次元振幅情報は、反復ステップによってさらに改善されてもよく、その目的のために、３次元情報は、図７および図８を参照してさらに詳細に記載されるような、逐次近似法の初期推定（ｉｎｉｔｉａｌ  ｅｓｔｉｍａｔｉｏｎ）として使用されてもよい。
【０１１４】
図７および図８は、一実施形態による装置によって実行されてもよい逐次近似法の流れ図である。
【０１１５】
一般に、これらの方法では、３次元振幅情報の初期推定から進み、推定が繰り返し改善される。各反復は、ある照明角度について、演算により、推定を像面に順投影もしくは順方向伝搬することを含んでもよい。体積要素が結像される画素は、照明角度に依存する。推定の投影または順方向伝搬は、推定が被写体２の振幅情報を正しく再現した場合に得られる画像を表す。補正画像は、このように推定から演算によって決定された、イメージセンサにおける輝度と、この照明角度において現実に検出された画像を比較することによって決定されてもよい。補正画像は、例えば、差分画像であってもよいし、商画像であってもよい。
【０１１６】
補正画像は、画像平面からボクセル格子の体積要素に逆投影（ｂｅ  ｐｒｏｊｅｃｔｅｄ  ｂａｃｋ）されてもよい。この場合、補正画像は、ｚ軸に沿った固定位置を有する単一の平面だけでなく、ボクセル格子のすべての平面に逆投影されるかまたは逆伝搬される。このｚ軸は光軸５によって決められてもよい。逆投影は、例えば、フィルタ逆投影または逆ラドン変換として実行されてもよい。逆伝搬は、回折（ｄｉｆｆｒａｃｔｉｏｎ）のような非幾何学的効果（ｎｏｎ−ｇｅｏｍｅｔｒｉｃ  ｅｆｆｅｃｔｓ）も考慮に入れてもよい。推定は、補正画像の逆投影または逆伝搬に依存して更新されてもよい。
【０１１７】
これらのステップは、異なる照明方向が使用されるように反復して繰り返されてもよい。投影を決定するための体積要素からイメージセンサの平面への伝搬と、イメージセンサの平面から体積要素への補正画像の逆伝搬の両方は、それぞれ照明角度に依存する。３次元情報は、異なる照明角度にわたる反復によって再構成されてもよい。
【０１１８】
図７は、方法７０の流れ図である。ステップ７１では、複数の画像が検出される。画像は、異なる照明角度に対して順次記録されてもよい。それぞれの場合において、少なくとも１つの輝度画像が、複数の照明角度のそれぞれに対して検出されてもよい。複数の照明角度に対して、被写体は斜めに照明され、照明のビームと検出器の光軸は互いに平行ではない。
【０１１９】
ステップ７２において、３次元振幅情報の推定、例えばボクセル格子の頂点の値がイメージセンサの平面に順方向伝搬される。体積要素と画素との間の結像は、照明角度に依存する。ボクセル格子の体積要素と画素の間の結像は、予め決定され、装置１の記憶媒体に不揮発的に記憶されてもよい。ボクセル格子の体積要素と画素の間の結像は、例えば、幾何学的投影法を用いて、電子処理装置によって、それぞれの照明角度に対して自動的に決定されてもよい。
【０１２０】
ステップ７３では、補正画像が演算される。ここで、補正画像は、一般に、順方向伝搬の推定と、この照明角度に対して記録された画像との間のずれに関する空間分解情報（ｓｐａｔｉａｌｌｙ  ｒｅｓｏｌｖｅｄ  ｉｎｆｏｒｍａｔｉｏｎ）であると理解される。補正画像は、演算による像面への順方向伝搬の推定が、実際に検出された画像を得るためには、どのように修正されなければならないかを規定する値を有する関数であってもよい。
【０１２１】
一例として、補正画像は、以下に与えられる補正の関数でもよい。
【０１２２】
【数１】
0006490197.tif 000002
【０１２３】
ここで、ｑおよびｒはセンサーの像面内の座標、例えば画素座標を示す。Ｉ（ｑ，ｒ，θx，θy）は、画素（ｑ，ｒ）で、角度座標（ａｎｇｌｅ  ｃｏｏｒｄｉｎａｔｅｓ）θxおよびθyにおいて、照明のために検出された画像の輝度である。Ｉprop（ｑ，ｒ，θx，θy）［Ｅobj］は、位置（ｑ，ｒ）の画像平面に対して角度座標θxとθyを持つ照明角度による被写体Ｅobjの３次元情報の順方向伝搬の推定の輝度である。Ｃ（ｑ，ｒ，θx，θy）は、位置（ｑ，ｒ）における補正画像の値を示す。
【０１２４】
例えば、検出された輝度と、推定の順方向伝搬によって決定される輝度の商のような、他の補正画像の定義が使用されてもよい。この場合、補正情報は、Ｉprop（ｑ，ｒ，θx，θy）［Ｅobj］≠０を満たす全ての画素について下記のように定義されてもよい。
【０１２５】
【数２】
0006490197.tif 000003
【０１２６】
ステップ７４では、補正画像は逆伝搬されてもよい。逆伝搬は、検出器の光学系（ｏｐｔｉｃａｌ  ｓｙｓｔｅｍ）に依存して演算により決定されてもよく、例えば、回折のような非幾何学的効果も考慮してもよい。逆伝搬は、イメージセンサの画素を被写体の複数の平面の体積要素に結像させる画像化であってもよい。逆伝搬を規定する結像は、予め決定され、装置１の記憶媒体に不揮発的に記憶されてもよい。
【０１２７】
逆伝搬された補正画像に従って被写体の推定が更新される。一例として、更新は下記の式に従って行われてもよい。
【０１２８】
【数３】
0006490197.tif 000004
【０１２９】
ここで、Ｂは角度座標θx、θyに依存する逆変換の操作を示し、Ｃ（θx，θy）は補正画像を示す。
【０１３０】
図８は方法８０の流れ図である。
【０１３１】
ステップ８１では、複数の画像が検出される。これは、ステップ７１について説明したようにして実行することができる。
【０１３２】
ステップ８２では、少なくとも３次元被写体の振幅情報の推定が初期化される。初期化は、例えば、相同な被写体に対応するボクセル格子の各頂点に同じ値を割り当ててもよい。ランダムな値が割り当てられてもよい。初期推定は繰り返し改善される。被写体に関する事前の情報が使用されてもよいが、反復的な改善が行われるので必要不可欠ではない。
【０１３３】
ステップ８３では、反復が初期化される。反復の実行インデックスは、ここではｎで指定される。例えば、異なる画像または異なる照明角度に異なるｎが割り当てられてもよい。
【０１３４】
以後、ｎは、異なる画像記録角度にインデックスをつけるためにも使用され、他の実行変数が使用されてもよい。
【０１３５】
ステップ８４では、推定が順方向伝搬される。これはイメージセンサの平面に対する推定の体積要素の投影または他の伝搬を含んでもよい。順方向伝搬は、照明角度に依存する。結像は、例えば、ベクトルに結合されたボクセル値をイメージセンサのピクセル値に結像するイメージングマトリクス（ｉｍａｇｉｎｇ  ｍａｔｒｉｘ）の形態で、それぞれの照明角度に対して不揮発的に格納されてもよい。
【０１３６】
ステップ８５では、補正画像が決定されてもよい。補正画像は、推定の順方向伝搬と、この照明角度に対して実際に検出された画像とに左右される。補正画像は、推定の順方向伝搬が実際に検出された画像に画像化されることができる位置依存関数（ｌｏｃａｔｉｏｎ−ｄｅｐｅｎｄｅｎｔ  ｆｕｎｃｔｉｏｎ）を定義してもよい。補正画像は、式（１）または式（２）を参照して決定されてもよい。
【０１３７】
ステップ８６では、補正画像が逆伝搬されてもよい。逆伝搬は順方向伝搬について演算された照明角度に依存する。逆伝搬は、ボクセル格子の複数の平面への結像を規定する。逆伝搬は、例えば、フィルタ逆投影または逆ラドン変換として実施されてもよい。
【０１３８】
ステップ８７では、推定が更新されてもよい。この場合、ボクセル格子の体積要素ごとに、割り当てられた値が更新されてもよい。この目的のために、一例として、ボクセルごとに、補正情報の逆投影を現在の値に加えられてもよい。
【０１３９】
ステップ８８では、推定が収束しているかどうかを決定するためのチェックが行われてもよい。この目的のために、連続した反復における推定の間の違いを計算し、それを計測することによって評価することが可能である。任意の適切な計測方法、例えば、エントロピーベースの計測方法が使用されてもよい。ステップ８８の収束チェックは、画像検出が行われた各照明角度に対して少なくとも１回の反復が実行されるまで遅れさせられてもよい。
【０１４０】
収束基準が満たされている場合、ステップ８９において、現在の推定が、この方法によって再構成された被写体の３次元情報として使用される。
【０１４１】
収束基準が満たされない場合、ステップ９０において、反復にまだ含まれていないさらなる画像が存在するかどうかを判定するためのチェックが実行されてもよい。そのような画像が存在する場合、ステップ９１で実行変数ｎの値を増加させてもよい。この方法はステップ８４に戻ってもよい。この場合、推定の順方向伝搬とそれに続く逆伝搬は異なる照明角度で行われる。
【０１４２】
方法７０および８０はまた、複雑な画像に拡張されてもよい。これにより、振幅情報に加えて、被写体の位相情報を求めることができる。
【０１４３】
図３から図８を参照してより詳細に説明した技術では、ボクセル格子の異なる面の体積要素が同時に再構成される。逆投影は、ボクセル格子の光軸（ｚ軸）に沿って互いに並んで配置された複数の平面に規則的に実行される。
【０１４４】
代替的または追加的に、実施形態による装置および方法は、被写体２が層ごとに再構成されるように構成されてもよい。この目的のために、画像の画像スタックを計算されてもよい。画像スタックの画像は、光軸に沿って前後に配置された被写体２を通る断面を表してもよい。
【０１４５】
図９から図１３を参照してより詳細に説明するように、これらの技術は、対物面と検出器１４の焦点面との間の距離が違うことが、イメージセンサ１４の像面において異なる歪みをもたらすという事実を利用することができる。
【０１４６】
図９は、一実施形態による装置１を概略的に示す。複数の被写体の面１０１、１０２は、光軸により決定されるｚ軸１０５に沿って検出器１４の焦点面１００から離れていてもよい。光軸１０５に沿った被写体２の寸法は、検出器１４の焦点深度（ｄｅｐｔｈ  ｏｆ  ｆｏｃｕｓ）１６よりも小さくてもよい。すなわち、光軸１０５に対して横方向に点像分布関数（ｔｈｅ  ｐｏｉｎｔ  ｓｐｒｅａｄ  ｆｕｎｃｔｉｏｎ）を広げることは無視できる程度である。
【０１４７】
被写体２の構造は、照明方向３、１０３に依存し、かつ、それらが配置される被写体の面に依存して、画像内で歪む。異なる照明角度に対応するビーム３、１０３を用いた照明に対する被写体の面１０１内の構造は、それぞれ検出された画像内の異なる位置に現れてもよい。同様に、異なる照明角度に対応するビーム３、１０３を用いた照明に対する被写体の面１０２内の構造は、それぞれ検出された画像内の異なる位置に現れてもよい。照明方向３、１０３では、被写体内の構造の位置は、焦点面１００までの距離に依存して変化してもよい。画像内の位置は、構造が焦点の内側（ｉｎｔｒａｆｏｃａｌｌｙ）または焦点の外側（ｅｘｔｒａｆｏｃａｌｌｙ）に移動したかどうかによって異なっていてもよい。
【０１４８】
照明方向に依存するこの歪みおよび被写体内の構造物と検出器の焦点面との間の距離に依存するこの歪みは、３次元情報の再構成のために使用されてもよい。この目的のために、一例として、図１０から図１３を参照して説明するように、図１２と図１３を参照して説明するように、画像スタック（例えば、いわゆる「ｚスタック」）が決定されてもよい。図１２と図１３を参照して説明するように、照明角度に依存した動きに依存して複数の画像に結像される被写体構造のｚ位置を決定するために、特に複数の画像内の構造同定を使用することが可能である。
【０１４９】
画像スタックを演算するために、複数の画像の各画像に変換が適用されてもよく、この変換は、それぞれの画像の照明角度と、ｚ軸に沿って再構成しようとする平面の位置との両方に依存する。この変換は、平面と検出器の焦点面との間の距離およびこの照明角度を原因とする歪みが再び反転されるように選択されてもよい。
【０１５０】
変換によって修正された画像は、被写体の平面の振幅情報を再構成するために、例えば、加算または他の線形結合によって、組み合わされてもよい。層の位置に依存して決定される変換を用いて歪みを反転させることにより、変換によって変更された画像の加算または他の線形結合を行う間に、被写体の所定の層内に配置された構造に対して具体的な推定的合計を得ることが可能である。
【０１５１】
この手順は、異なる層について繰り返されてもよい。このようにして画像スタックが生成されてもよく、画像スタックの各画像は、例えば、ボクセル格子の層に対応してもよい。画像スタックの各画像は、ｚ軸に垂直な平面内の被写体を通る断面に対応してもよい。
【０１５２】
図１０は、実施形態による方法および装置における当該処理を示す。異なる照明角度に対して複数の画像５１―５３が検出される。ｚデフォーカスによって焦点面１００に対して動かされる被写体の構造は、照明角度に依存した位置での異なる画像５１−５３の構造５０として画像化される。構造５０の画像の位置は、照明角度によって変化し、照明角度に依存した位置の変化は照明角度およびｚデフォーカスに依存する。
【０１５３】
変換Ｓ1−Ｓ3は画像５１−５３に適用される。変換Ｓ1−Ｓ3は、現在再構成されている平面の特定のｚデフォーカスについて、照明角度に依存して生じる歪みを反転させる。
【０１５４】
１つの簡単な実施形態では、例えば、画像５１−５３の変位、または画像５１−５３の画像領域の変位は、ｘ方向、ｙ方向につき、変換Ｓ1−Ｓ3によって、それぞれ以下の式によって補正されてもよい。
【０１５５】
【数４】
0006490197.tif 000005
【０１５６】
【数５】
0006490197.tif 000006
【０１５７】
値Δｚは、ｚデフォーカス、すなわち、再構成される被写体面と検出器の焦点面との間の距離を示す。係数ｓｆは倍率（ｓｃａｌｉｎｇ  ｆａｃｔｏｒ）である。倍率は、検出器によってイメージセンサの平面内に結像される中間像平面内の距離から、イメージセンサの平面内の距離への変換を実行するために使用されてもよい。倍率に負の符号が付いていてもよい。
【０１５８】
図５に示す変換Ｔ1−Ｔ3とは異なり、変換Ｓ1−Ｓ3は、照射角だけでなく、現在再構成されている平面のｚデフォーカスにも依存する。
【０１５９】
例えば、収差の結果として生成される位置に依存する歪み（ｆｉｅｌｄ  ｐｏｉｎｔ−ｄｅｐｅｎｄｅｎｔ  ｄｉｓｔｏｒｔｉｏｎｓ）を補正するために、より複雑な形態の変換が選択されてもよい。
【０１６０】
変換Ｓ1−Ｓ3を適用することにより、イメージセンサの平面内で、現在再構成されることが意図され、ｚデフォーカスを有する特定の面を原因とする歪みが反転される。変換Ｓ1−Ｓ3によって生成された修正された画像１０４−１０６は、現在再構成された面に配置された構造５０が、すべての修正された画像１０４−１０６のほぼ同じ位置に結像されるものである。被写体の他の被写体の面に配置された他の構造は、修正された画像１０４−１０６において、互いに変位したままである。
【０１６１】
例えば、照明角度に依存して変化する係数を有する線形結合の演算などの、修正された画像１０４−１０６の加算または他の処理によって、画像スタックの画像１０７が生成される。画像スタックの画像１０７において、画像５１〜５３の構造５０の画像情報は、構造的に重ね合わされ、被写体の対応する平面に配置されていた構造は、画像スタックの画像１０７内の干渉しない背景（ｉｎｃｏｈｅｒｅｎｔ  ｂａｃｋｇｒｏｕｎｄ）に対して再構成される。
【０１６２】
画像スタックの画像１０７は、例えば、ボクセル格子１０８の層１０９に含まれる情報を表す。
【０１６３】
この処理は、画像スタックの複数の画像を生成し、被写体に関する情報でボクセル格子１０８全体を充填するために、異なる層に対して繰り返されてもよい。
【０１６４】
図１１は、一実施形態による装置によって実行可能な方法１１０の流れ図である。
【０１６５】
ステップ１１１において、被写体の複数の画像が検出される。画像は、異なる照明角度に対して順次記録されてもよい。それぞれの場合において、少なくとも１つの輝度画像が、複数の照明角度の各照明角度に対して検出されてもよい。複数の照明角度に対して、被写体は斜めに照明され、照明のビームと検出器の光軸は互いに平行ではない。
【０１６６】
ステップ１１２では、再構成しようとする平面が選択される。一例として、光軸に沿って互いに均一に離間して配置された複数の面が順次選択されてもよい。選択された平面は焦点平面から距離Δｚにあり、これはゼロとは異なってもよい。
【０１６７】
ステップ１１３では、再構成される平面の位置と、特に前記平面と検出器の焦点面との間の距離に依存する変換が各画像に適用される。変換はさらに照明角度に依存する。変換は、イメージセンサ１５への結像中にステップ１１１で選択された平面内の被写体の構造を原因として生じるひずみが反転されるように決定される。
【０１６８】
ステップ１１４において、変換によって修正された画像が結合される。修正された画像は、例えば、画素ごとに合計されてもよく、または何らかの他の方法で線形的に結合されてもよい。組み合わせのための他の技術が使用されてもよい。一例として、フィルタリング（ｆｉｌｔｅｒｉｎｇ）は、選択された平面に配置されていない被写体の構造によって引き起こされる干渉しない背景が抑制されるように実行されてもよい。
【０１６９】
ステップ１１２、１１３および１１４は、画像スタックの複数の画像を生成するために、被写体の複数の層に対して繰り返されてもよい。
【０１７０】
実施形態では、異なる画像間での同じ構造の構造同定および変位の分析によって、ｚデフォーカスおよび照明角度に依存する変位は、ｚ位置を決定することに使用されてもよい。このように決定された位置は、複数の画像の対応する構造に結像される被写体の構造が、光軸に沿ったどの位置において配置されるかを示す。図１２と図１３を参照して、このような技術をさらに詳細に説明する。
【０１７１】
図１２は、構造同定を用いた再構成を説明するための図である。
【０１７２】
同じ被写体構造５０の画像は、複数の画像の異なる画像５１、５２において、照明角度に依存して互いに対して変位してもよい。対応する歪みは、デフォーカスおよび照明角度に依存する。画像５２内の被写体の構造５０の画像は、別の画像５１内の同一の被写体の構造５０の画像に対して、２次元ベクトル１２１によって変位してもよい。ベクトル１２１は、画像５１、５２の記録中の照明角度と、被写体のｚ軸に沿った被写体の構造の位置を規定するｚデフォーカスに依存する。
【０１７３】
異なる画像５１、５２における被写体の構造５０の画像を同定する構造同定と、異なる画像における同じ被写体構造５０の画像の相対変位を決定するために使用される歪み解析（ｄｉｓｔｏｒｔｉｏｎ  ａｎａｌｙｓｉｓ）とによって、被写体の構造が配置されているのは、どのｚ軸に垂直な面かを決定することが可能である。
【０１７４】
３次元情報の再構成は、照明角度およびｚデフォーカスに依存する歪みによって補正された、対応する被写体構造５０の画像が、ボクセル格子１０８の層１０９内の体積要素に割り当てられるように実行されてもよい。この場合、層１０９は決定された変位１２１に依存する。
【０１７５】
一例として、ｚデフォーカスは、ｘ軸、ｙ軸につき、それぞれ以下の変位によって決定される。
【０１７６】
【数６】
0006490197.tif 000007
【０１７７】
【数７】
0006490197.tif 000008
【０１７８】
ここで、ΔｘrelおよびΔｙrelは、画像間の、被写体の構造の画像の相対変位を示し、θx,1とθy,1は第１の画像の記録中の照明角度を規定する角度座標であり、θx,2とθy,2は、第２の画像の記録中の照明角度を規定する角度座標である。式（６）および（７）は、ΔｘrelおよびΔｙrelによって２つの画像内で変位した被写体の構造が、ボクセル格子のどの平面において配置されるかを決定するために、ｚデフォーカスΔｚに関して解かれてもよい。
【０１７９】
図１３は、一実施形態による装置によって実行され得る方法１３０の流れ図である。
【０１８０】
ステップ１３１において、被写体の複数の画像が検出される。画像は、異なる照明角度に対して順次記録されてもよい。それぞれの場合において、少なくとも１つの輝度画像が、複数の照明角度の各照明角度に対して検出されてもよい。複数の照明角度に対して、被写体は斜めに照明され、照明のビームと検出器の光軸は互いに平行ではない。
【０１８１】
ステップ１３２において、構造同定が行われる。この場合、少なくとも２つの画像において、互いに対応する被写体構造の画像を同定するために、複数の画像が分析される。対応する構造を決定するためには、エントロピーベースの類似度測定方法（ｅｎｔｒｏｐｙ−ｂａｓｅｄ  ｍｅａｓｕｒｅｓ  ｏｆ  ｓｉｍｉｌａｒｉｔｙ）または他の類似性測定基準など、異なる技術が使用されてもよい。
【０１８２】
ステップ１３３において、変位解析（ｄｉｓｐｌａｃｅｍｅｎｔ  ａｎａｌｙｓｉｓ）が実行される。これは、少なくとも２つ以上の画像について、像面内でどのようなベクトルによって被写体の構造の画像が変位するかを決定することを含んでもよい。被写体の構造の画像の相対的な変位に依存して、被写体の構造が焦点面からどの距離に配置されるかを決定することが可能である。このようにして、対応する振幅情報が割り当てられなければならないボクセル格子の層を決定することが可能である。
【０１８３】
ステップ１３４において、３次元振幅情報が、１つまたは複数の画像内の被写体の構造の画像およびステップ１３３で決定されたｚ座標に依存して決定される。この場合、そのｚ座標がステップ１３３で決定されるｚデフォーカスに対応し、ｘ座標、ｙ座標が、少なくとも１つの画像中の構造の画像の座標に基づき決定される体積要素の振幅値が少なくとも１つの画像のピクセル値に依存して設定されてもよい。一例として、同定された構造５０は、ボクセル格子１０８の１つの平面だけに投影されてもよく、その平面は、画像間の被写体の構造の画像の間の変位１２１に依存する。
【０１８４】
ステップ１３４はまた、ｚデフォーカスおよび照明角度に依存し、画像５１、５２内の被写体の構造の変位または歪みを少なくとも部分的に補償する歪み補正（ｄｉｓｔｏｒｔｉｏｎ  ｃｏｒｒｅｃｔｉｏｎ）を含んでもよい。このようにして、ｘ方向およびｙ方向に正しいボクセル格子１０８内の被写体の構造の位置決定を確実にすることも可能である。
【０１８５】
３次元振幅情報を再構成するための様々な方法は、互いに組み合わせることができる。例えば、図１２と図１３を参照して説明したような変位分析によるｚ位置の決定および／または図３から図６を参照して説明したような断層撮影再構成を３次元振幅および／または被写体の位相情報の推定を決定するために使用してもよい。図７と図８を参照して説明したように、これはさらに逐次近似法を用いて改良してもよい。
【０１８６】
図１４は、一実施形態による装置によって実行され得る方法１４０の流れ図である。
【０１８７】
ステップ１４１では、複数の画像が検出される。ステップ１４２において、構造同定および変位分析によって、複数の画像に結像された被写体の構造を、光軸に沿った異なる位置に割り当てることが可能かどうかのチェックが行われる。一例として、被写体の密度（ｏｂｊｅｃｔ  ｄｅｎｓｉｔｙ）がこの目的のために評価されてもよい。
【０１８８】
構造同定および変位分析によってｚ位置を決定することが可能である場合、それぞれの場合に少なくとも２つの画像において相互に対応する構造がステップ１４３で同定されてもよい。対応する構造は、異なる画像における同じ被写体の構造の画像である。この目的のために、例えば、形状比較のための従来のアルゴリズムおよび／または複数の画像にわたる被写体の照明角度依存トラッキング（ｉｌｌｕｍｉｎａｔｉｏｎ ａｎｇｌｅ−ｄｅｐｅｎｄｅｎｔ ｔｒａｃｋｉｎｇ）を使用することが可能である。ｚ位置は、異なる画像における同じ被写体の構造の画像の変位から決定されてもよい。ステップ１４３は、例えば、図１２と図１３を参照して説明したように実施されてもよい。
【０１８９】
例えば、画像内の構造の密度が高すぎるために、構造同定よび変位分析によってｚ位置を決定することができない場合、断層撮影再構成がステップ１４４で選択的に実行されてもよい。断層撮影再構成は、検出器とビーム方向との間の傾きを補償するために使用される画像の変換を含んでもよい。断層撮影再構成は、図３と図６を参照して説明したように実行されてもよい。
【０１９０】
選択的に、ステップ１４３またはステップ１４４で決定された３次元情報は、逐次近似法の初期推定として使用されてもよい。この目的のために、例えば図７と図８で説明したように、ステップ１４５において、３次元情報は、順方向伝搬および逆伝搬のシーケンスによって、より高い精度で再構成されてもよい。
【０１９１】
図１５は、一実施形態による装置のブロック図表示１５０である。
【０１９２】
画像記録装置は、制御可能な照明装置１５１を備えている。照明装置１５１によって、被写体が複数の異なる照明角度で順次照明されてもよい。照明コントローラ１５２は、順次設定された照明角度を制御してもよい。照明装置１５１は、ＬＥＤ装置を備えてもよい。照明装置１５１は、中間像面内に制御可能な光学要素を含んでもよく、その要素は、例えば、可動ピンホールストップ、マイクロミラーアレイ、液晶マトリクスまたは空間光変調器を含んでもよい。
【０１９３】
イメージセンサ１５３は、被写体が照明された照明角度のそれぞれについて少なくとも１つの画像を検出する。画像は、複数のカラーチャネル（ｃｏｌｏｅ  ｃｈａｎｎｅｌｓ）の情報を含んでもよい。イメージセンサ１５３は、少なくとも１つのＣＣＤまたはＣＭＯＳチップを含んでもよい。
【０１９４】
３Ｄ再構成用モジュール１５４は、複数の画像から被写体に関する情報を決定してもよい。再構成は、被写体の体積要素が複数の照明角度に対してそれぞれ画像化されるピクセルに依存して実行されてもよい。再構成は、図１から図１４を参照して説明したように、様々な方法で実行されてもよい。たとえば、逆投影が実行される前に、照明のビームに対する検出器の光軸の傾きを補償してもよい。代替的にまたは追加的に、演算により被写体の推定が像面に順方向伝搬され、演算により補正関数が像面から逆伝搬される逐次近似法を使用してもよい。代替的または追加的に、画像スタックの画像が再構成されてもよい。代替的または追加的に、変位分析と組み合わせた構造同定を、ｚ位置を複数の画像に含まれる被写体の構造に割り当てるために使用してもよい。
【０１９５】
３Ｄ再構成のための情報を有する記憶媒体は、様々な形態の情報を記憶してもよく、その情報は、３Ｄ再構成のためのモジュール１５４によって使用される。３Ｄ再構成のための情報は、例えば変換行列の形式で、線形イメージング（ｌｉｎｅａｒ  ｉｍａｇｉｎｇ）を定義してもよい。変換行列は、例えば、照明ビームに対する検出器の傾きを補償するために、複数の照明角度について、画像の変換画像の結像を定義してもよい。変換行列は、複数の照明角度について、被写体が再構成されるボクセル格子の体積要素と、イメージセンサのピクセルの間の結像を定義してもよい。
【０１９６】
実施形態につき図面を参照しつつ説明したが、さらなる実施形態において変更を加えてもよい。
【０１９７】
実施形態による装置および方法では、検出器の焦点深度がその情報が光軸に沿って３次元的に再構成されることが意図されている被写体の寸法よりも大きくなるように、装置を構成してもよい。
【０１９８】
実施形態による装置および方法は、被写体の光学密度または吸光度に依存する３次元振幅情報を再構成するように構成されてもよいが、位相情報もまた空間分解方法で決定されてもよい。この目的のために、例えば、説明した技法を複素数体（ｃｏｍｐｌｅｘ  ｆｉｅｌｄｓ）に拡張してもよい。制御可能な照明のために、位相情報は、異なる照明角度に割り当てられた画像間の差分形成によって決定されてもよい。
【０１９９】
実施形態による装置は、特に顕微鏡システムであってもよいが、記載された技術は、他の撮像システムにおいても使用され得る。
【図１】
0006490197.tif 000009
【図２】
0006490197.tif 000010
【図３】
0006490197.tif 000011
【図４】
0006490197.tif 000012
【図５】
0006490197.tif 000013
【図６】
0006490197.tif 000014
【図７】
0006490197.tif 000015
【図８】
0006490197.tif 000016
【図９】
0006490197.tif 000017
【図１０】
0006490197.tif 000018
【図１１】
0006490197.tif 000019
【図１２】
0006490197.tif 000020
【図１３】
0006490197.tif 000021
【図１４】
0006490197.tif 000022
【図１５】
0006490197.tif 000023